(57)【要約】【課題】操作部にヒンジ機構によって回動可能に接続し、表示装置に撮影した映像を表示できるようにした電子カメラにおいて、撮影者（自分）を撮影するために撮影レンズと表示装置を自分の方に向けたとき、それを、簡単、安価で、複雑な配線などを要せずに検出できる機構を提供することが課題である。【解決手段】撮像部に固定された撮像部側ヒンジプレートと、該撮像部側ヒンジプレートに固定されて回動角検出用パターンを配したフランジを有するヒンジシャフトと、操作部に固定され、前記フランジ部で抜け止めしてヒンジシャフトを回動可能に保持する操作部側ヒンジプレートと、前記フランジに設けた回動角検出用パターンによって前記撮像部の操作部に対する回動角度を検出する光電素子とで構成し、回動角検出用パターンを光電素子で検出することで、撮像部と操作部に配した表示装置が同一方向を向いたことを検出できるようにした。【選択図】      図７
2005020469.tif 000002
【特許請求の範囲】
【請求項１】
表示装置を有した操作部と、該操作部にヒンジ機構によって回動可能に接続し、前記表示装置に撮影した映像を送って表示できるようにすると共に発光装置を備えた撮像部とからなる電子カメラにおいて、
前記ヒンジ機構は、前記撮像部に固定された撮像部側ヒンジプレートと、該撮像部側ヒンジプレートに固定され、回動角検出用パターンを配したフランジを有するヒンジシャフトと、前記操作部に固定され、前記ヒンジシャフトをフランジ部で抜け止めして回動可能に保持する操作部側ヒンジプレートと、前記フランジと操作部側ヒンジプレート間に介挿された弾性部材と、前記フランジに設けた回動角検出用パターンによって前記撮像部の操作部に対する回動角度を検出する光電素子とからなり、該光電素子により、前記撮像部と操作部との相対的な回動角度を検出できるようにしたことを特徴とする電子カメラ。
【請求項２】
前記ヒンジ機構における前記ヒンジシャフトに設けたフランジに所定角度毎にクリック用凹部を設けると共に、前記弾性部材として円形スプリングを用いると共に該スプリングにクリック用突起を設け、該突起と前記ヒンジシャフトのフランジに設けた凹部によって前記撮像部を所定角度毎に係止できるよう構成したことを特徴とする請求項１に記載した電子カメラ。
【請求項３】
前記円形スプリングは、クリック用突起背後に補強用肉を設けたことを特徴とする請求項２に記載した電子カメラ。
【請求項４】
前記ヒンジシャフトは中空とし、該中空部に前記撮像部と操作部を結ぶ信号線を通せるようにしたことを特徴とする請求項１に記載した電子カメラ。
【発明の詳細な説明】
【０００１】
【発明の属する技術分野】
本発明は、電子カメラに関し、特に操作部と撮像部をヒンジで結合し、撮像部を回動できるようにした電子カメラに関するものである。
【０００２】
【従来の技術】
ＣＣＤなどの撮像素子を備え、画像をデジタル的に記録できるようにした電子カメラは、従来のフィルムを用いたカメラのように現像、焼き付けなどが不用で撮った画像をすぐ見ることができ、しかもＣＣＤなどの撮像素子は、１素子当たりの画素数が年々増大しているにもかかわらず従来のフィルムよりも小さく、それによってカメラ自体を小型に構成できるという利点がある。
【０００３】
そのため例えば、Ｙシャツの胸ポケットやＧパンの臀部ポケットなどに収容できる薄さと強度を持ち、そういったところやハンドバックなどに収容しても違和感をおこさせない軽さで、しかも高倍率のズーム機構を備えた電子カメラの出現が望まれている。
【０００４】
しかしながらズームレンズは、通常複数のレンズ群で構成され、しかも、そのうちのいくつかのレンズ群を進退させさせることで所望の焦点距離を得るようにしている。そのため、旧来のフィルムを使用したカメラのようにカメラ本体から撮影レンズを突出させるようにした方式では、撮影時以外はレンズを本体内に収納する沈胴式にしたとしても、レンズ枚数の多さとレンズ群を前後させる機構の存在で、カメラ本体を一定以下の厚さにするのは困難である。
【０００５】
そのため、突出したレンズを電源オフ時にカメラ本体に収納する際、中間群のレンズを光軸外に移動させ、それによって薄型化を達成するようにしたカメラも出現しているが、このように中間レンズ群を移動させる方式は光学系の精度が悪化し、また中間レンズ群やレンズ鏡筒を電源オフによってカメラ本体に沈める方式そのものが、電源をオンしたときに撮影ができるようになるまで一定の時間を必要とするから、起動するまでの時間が長くなってシャッターチャンスを逃すという欠点がある。
【０００６】
そのため特許文献１、２に示されているように、表示装置を有した操作部にヒンジ機構などの回転機構で回転可能に接続した撮像部に、撮影レンズとファインダと発光装置などを配して撮影レンズを被写体方向に向けられるようにし、しかも、表示装置は撮影者の方に向けるようにしたカメラが提案されている。このように電子カメラを構成すると、例えば撮影者（自分）を撮影したいという場合や、地面近傍の被写体を撮影する場合でも、撮像部を被写体に向けながら表示装置を常時確認することが可能となる。
【０００７】
又この特許文献１、２に示された電子カメラにおいて、撮影された映像を常時同じ状態で表示装置に表示していると、表示装置で撮影状態を確認しながら撮影者（自分）を撮影するために撮影レンズと表示装置を自分の方に向けた場合、表示装置には上下が逆転した像が写されてしまう。
【０００８】
【特許文献１】
特開平１１−２６１８５９号公報（図１）
【特許文献２】
特開２００２−３２０１２０公報（図５）
【０００９】
【発明が解決しようとする課題】
しかしながら特許文献１、２に示されたカメラは、操作部における電池収納部が他の部分より厚く構成されてグリップ部となっており、Ｙシャツの胸ポケットやＧパンの臀部ポケットなどに収容した場合は違和感を感じさせてしまう。また特許文献３に示されたカメラも、撮像手段が撮像装置の幅方向を回転軸とした筒型をしており、ズームレンズなどは収容できないと共に撮像手段の径が大きくなるからやはり薄型に構成することはできない。
【００１０】
そのため本発明においては、表示装置を有した操作部にヒンジ機構によって回転可能に接続し、前記表示装置に撮影した映像を表示できるようにした電子カメラにおいて、撮影者（自分）を撮影するために撮影レンズと表示装置を自分の方に向けた場合、表示装置に上下を逆転させた画像を写すために撮影レンズと表示装置が自分の方を向いたことを検出する、簡単、安価で、複雑な配線などを要しない機構を提供することが課題である。
【００１１】
【課題を解決するための手段】
上記課題を解決するため本発明においては、
表示装置を有した操作部と、該操作部にヒンジ機構によって回動可能に接続し、前記表示装置に撮影した映像を送って表示できるようにすると共に発光装置を備えた撮像部とからなる電子カメラにおいて、
前記ヒンジ機構は、前記撮像部に固定された撮像部側ヒンジプレートと、該撮像部側ヒンジプレートに固定され、回動角検出用パターンを配したフランジを有するヒンジシャフトと、前記操作部に固定され、前記ヒンジシャフトをフランジ部で抜け止めして回動可能に保持する操作部側ヒンジプレートと、前記フランジと操作部側ヒンジプレート間に介挿された弾性部材と、前記フランジに設けた回動角検出用パターンによって前記撮像部の操作部に対する回動角度を検出する光電素子とからなり、該光電素子により、前記撮像部と操作部との相対的な回動角度を検出できるようにしたことを特徴とする。
【００１２】
このように、電子カメラに於ける撮像部の回動を、ヒンジ機構を構成するヒンジシャフトのフランジに設けた回動角検出用パターンと光電素子という簡単安価な構成で検出できるようにしたことにより、撮影レンズと表示装置が共に自分の方に向けられた場合、それを容易に検出でき、しかも光電素子はある程度離れた場所に設置できるから、従来装置のように機械的な接点や配線の引き回しが不用となって組み込み性が改善でき、また回動動作による信号線の断線等が回避できる。また、ヒンジ部にスイッチを搭載する必要がないため、ヒンジ機構を小型化することが可能となって、電子カメラのコンパクト化が可能となる。
【００１３】
そして、前記ヒンジ機構における前記ヒンジシャフトに設けたフランジに所定角度毎にクリック用凹部を設けると共に、前記弾性部材として円形スプリングを用いると共に該スプリングにクリック用突起を設け、該突起と前記ヒンジシャフトのフランジに設けた凹部によって前記撮像部を所定角度毎に係止できるよう構成したことにより、操作部に対して撮像部を所定角度毎に係止でき、より撮影のし易い電子カメラを提供することができる。
【００１４】
また、前記円形スプリングは、クリック用突起背後に補強用肉を設けたことにより、円形スプリングのクリック用突起が回動によってフランジに設けたクリック用凹部から外れたとき、撮像部と操作部間の押圧力により、このクリック用突起背後に亀裂が入ったりするのを防止することができる。
【００１５】
さらに、前記ヒンジシャフトは中空とし、該中空部に前記撮像部と操作部を結ぶ信号線を通せるようにすることで、機械的な接点などを用いることなく結線することができる。
【００１６】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１７】
図１は本発明になる電子カメラの一実施形態の全体図、図２は本発明になる電子カメラのレンズを被写体方向に向けた撮影状態を示した図、図３は本発明になる電子カメラのレンズをカメラ操作者（自分）方向に向けた撮影状態を示した図である。
【００１８】
図中１００は本発明になる電子カメラ、１０１は撮像部、１０２は操作部、１０３は撮影レンズ窓、１０４はストロボなどの発光装置、１０５は液晶などを用いた表示装置、１０６はシャッター釦、１０７は電源釦、１０８は十字キーと決定キーで構成され、表示装置１０５に表示された機能や項目を選択するための選択決定キー、１０９は光学系ズーミングを指示するズームキー、１１０はカメラモードメニューのオン、オフを切り替えるメニュー釦、１１１は表示装置１０５の表示内容と照明のオン、オフを切り替えるディスプレイ釦、１１２は表示装置１０５の表示内容をシーンセレクト選択画面に切り替えるシーン釦、１１３は絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦、１１４はスピーカである。
【００１９】
本発明になる電子カメラ１００は、図１乃至３に示したように、操作部１０２側に表示装置１０５と一般的な撮影用操作釦類１０６乃至１１３を配し、この操作部１０２にヒンジ機構で回動可能に接続された撮像部１０１の一端側には、撮影レンズ窓１０３、その操作部１０２側に発光装置１０４用の窓を配してある。そしてこの撮像部１０１の内部には、撮影レンズ窓１０３の背後に撮影用ズームレンズが、そしてその隣に、ズームレンズを構成するレンズ群を進退させるためのカム機構が配され、これらズームレンズとカム機構の奥側、すなわち撮影レンズ窓１０３と逆側に発光装置用コンデンサなどの電装部品が配されている。そして操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、シャッター釦１０６はカメラ１００を右手で保持したときに人差し指で操作可能とし、ズームキー１０９、選択決定キー１０８、メニュー釦１１０、モードセレクト釦１１３などは、同じく右手でカメラ１００を保持したとき、親指の届く範囲に配置して操作性を高めてある。
【００２０】
そして本発明になる電子カメラ１００は、表示装置１０５を常時視認できるよう撮影者の方に向けたまま、図２に示したように撮像部１０１を被写体の方に向けたり、図３に示したように逆に回動させて撮影レンズ窓１０３がカメラ操作者（自分）の方を向くようにし、自分撮りもできるようになっている。また本発明になる電子カメラ１００は、撮像部１０１の撮影レンズ窓１０３側の端から発光装置用の窓１０４側の端までの長さＬ１（図３）を、例えば左手人差し指の先端から第２関節近辺までの長さとし、かつ、撮像部１０１における撮影レンズ窓１０３とは逆側の長さをＬ２（図３）としたとき、発光装置窓１０４部分の（Ｌ１−Ｌ２）に相当する部位の光軸方向厚さＬ３（図３）を、略人差し指の厚さとしてＲを付けて操作部１０２側に張り出して構成してある。このようにすることで、操作部１０２における表示装置１０５の右側に操作釦類を配置するためのスペースを作ることができ、小型でありながら、操作性の良い電子カメラを構成することができる。また撮影レンズ窓１０３からヒンジ機構の回動中心までの距離は、ヒンジ機構の回動中心から撮影レンズ窓１０３とは逆側の端までの距離より大きくとってある。
【００２１】
そしてこの電子カメラ１００を使うときは、電源釦１０７を押下することで電源がオンとなるから、前記したように親指で各操作釦を操作し、モードセレクト釦１１３によって絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択する。そして必要に応じ、メニュー釦１１０を押下して表示装置１０５に例えば画像のサイズ、撮影感度、測光方式などの各種メニューを表示させ、十字キーと決定キーで構成された選択決定キー１０８の十字キーで項目を選択し、中央の決定釦で決定する。
【００２２】
そして、図２に示したように被写体の方に撮影レンズ窓１０３を向けて撮影するときは、図４に示したように右手で操作部１０２側をホールドし、例えば左手の人差し指と中指で撮像部１０１のＬ１（図３）の長さを有するＬ３（図３）の部分を挟んで撮影レンズ窓１０３を被写体に向ける。そして、表示装置１０５に映し出された被写体を見ながら右手親指で撮像部１０１のズームキー１０９を操作し、所定の倍率を選択して構図を決定した後、右手人差し指でシャッター釦１０６を押下することで自動的にピントと露出が決定され、内蔵されたＣＣＤなどの撮像素子によって撮影された画像が内蔵されたメモリに記録するようになっている。このようにして撮影をおこなうことにより、前記したように撮像部１０１における撮影レンズ窓１０３からヒンジ機構の回動中心までの距離は、ヒンジ機構の回動中心から撮影レンズ窓１０３とは逆側の端までの距離より大きくとってあるから、レンズ部が大きく回り、撮像部１０１を素早く被写体に向けられると共に、カメラ１００をしっかりホールドすることができる。
【００２３】
こうして撮影が済んだら、モードセレクト釦１１３を操作して再生モードにすると、メモリに蓄えられた画像が表示装置１０５に表示され、選択決定キー１０８における十字キーを操作することで順次撮影した画像を表示させることができる。なお、動画撮影モードの場合は、全く同様にして動画をメモリに記録し、シーン釦１１２によって必要なシーンを選択し、スピーカ１１４によって音声も同時に再生させることができる。
【００２４】
このように構成した本発明になる電子カメラ１００の撮像部１０１と操作部１０２は、図５乃至図１２に４０５で示したようなヒンジ機構で結合されている。図５は、本発明になる電子カメラ１００の撮像部１０１と操作部１０２を結合するヒンジ機構４０５のみの構成を示した図であり、図６はヒンジ機構４０５を撮像部１０１に組み込み、操作部１０２における上カバーと内部構成部品を取り去って結合部を示した斜視図、図７は図５に示したヒンジ機構４０５を分解した斜視図、図８はヒンジを構成するヒンジシャフト５００をヒンジレンズプレート５０１に固定するための機構を説明するための図、図９はヒンジマーカー５０８の正面図、図１０はヒンジシャフト５００のフランジ５０５に設けたクリック用凹部の図（Ａ）と円形スプリング５０４に設けた突起を示した図（Ｂ）、図１１はヒンジ機構４０５を、撮像部１０１における下カバー４０２と操作部１０２における下カバー３０８に組み込み、一部を断面で示した図、図１２は撮像部１０１と操作部１０２を結ぶ信号線を中空としたヒンジ機構内を通したときの状態を示した図である。
【００２５】
図中３０３は操作部１０２側に設けられたサブ基板、３０８は操作部１０２の下カバー、５００は撮像部１０１側を操作部１０２に対して回動させるヒンジシャフト、５０１は撮像部１０１側に固定され、ヒンジシャフト５００をキー溝にて回転止めするヒンジレンズプレート、５０２は操作部１０２側に固定され、レンズシャフト５００を回動可能とする軸受けとしてのヒンジボディプレート、５０３はヒンジシャフト５００を円形バネ、ボディプレート、レンズプレートをヒンジシャフト５００とはさみ込むためのＣＥリング、５０４はヒンジシャフト５００のフランジ５０５とヒンジボディプレート５０２との間に挟んでフリクションとクリックを与える弾性部材としての円形バネで、この円形バネ５０４には、２箇所の頂部にクリック用突起５０６、５０７を設けてあると共に、図１１（Ａ）、（Ｂ）に示したように、ヒンジボディプレート５０２に対して回り止めするための突起５１１と５１２とが設けてある。５０８は図９に示したようにその一部に反射パターン５０９を有し、シャフト５００のフランジ部５０５に貼り付けて、発光素子と受光素子を一体としたフォトリフレクター５１０などの光電素子によって操作部１０２に対する撮像部１０１の相対的な回動角度を検出するためのヒンジマーカー、５１３は撮像部１０１の下カバー４０２に設けたヒンジレンズプレート５０１の固定部、５１４乃至５１７はヒンジシャフト５００のフランジ５０５に設けられた凹部、５１８、５１９は円形バネの回り止め用突起５１１と５１２を受ける孔、５２０は円形バネ５０４に設けられた突起５０６、５０７の背面に設けられた補強用肉部、５３１、５３２はレンズシャフト５００をヒンジレンズプレート５０１に回り止めするためのキー溝、５３４、５３５はヒンジレンズプレート５０１におけるレンズシャフト５００に設けたキー溝５３１、５３２と噛み合うキー凸、５３７はＣＥリング５０３を填め込む溝である。
【００２６】
このヒンジ機構４０５におけるヒンジシャフト５００は、図８（Ａ）に示したように、一端にフランジ５０５を、他端側にＣＥリング５０３を填め込む溝５３７を有し、またこのヒンジシャフト５０５を溝５３７側から見た図８（Ｂ）に示したように、溝５３７側にヒンジレンズプレート５０１に対して回り止めするためのキー溝５３１、５３２が設けられている。一方、ヒンジレンズプレート５０１には、このヒンジシャフト５００のキー溝５３１、５３２に対応したキー凸５３４、５３５が設けられている。そしてこのヒンジ機構４０５は、図６、図１１（Ａ）に示したように、まずヒンジレンズプレート５０１のネジ孔５１１にビスを通し、撮像部１０１の下カバー４０１、上カバー４０２に設けられた固定部５１３（図７）に固定する。またヒンジボディプレート５０２は、同様にして操作部１０２の上カバー３０７、下カバー３０８の図示していない固定部に固定する。
【００２７】
そして、ヒンジシャフト５００のフランジ部５０５に、図９８に示したように、一部に反射パターン５０９を有したヒンジマーカー５０８を貼り付け、円形バネ５０４、ヒンジボディプレート５０２を通し、ヒンジレンズプレート５０１に設けられたキー凸５３４、５３５にヒンジシャフト５００のキー溝５３１、５３２を合わせて挿入する。そして、ヒンジレンズプレート５０１のレンズ系側でヒンジシャフト５００に設けられた溝５３７にＣＥリングを填め込み、ヒンジレンズプレート５０１側で回り止めと抜け止めをして固定する。そしてフォトリフレクタ５１０は、図６に示したように、ヒンジマーカー５０８上の反射パターン５０９を検出できる位置となるサブ基板３０３上に固定する。
【００２８】
このうち円形バネ５０４は、図１１（Ａ）に示したように、ヒンジボディプレート５０２に対して回り止めするための突起５１１と５１２を、この突起５１１と５１２を受けるヒンジボディプレート５０２側に設けられた孔５１８、５１９に挿入し、ヒンジボディプレート５０２と円形バネ５０４が一緒に回動するようにする。また円形バネ５０４は図１０（Ｂ）に示したように、２箇所の頂部にクリック用突起５０６、５０７を有し、ヒンジシャフト５００のフランジ５０５には、図１０Ａ）に示したように適宜な角度の位置に凹部５１４乃至５１７が設けられ、円形バネ５０４に設けられた突起５０６、５０７が係合して位置決めできるようになっている。
【００２９】
このようにヒンジ機構４０５を構成することにより、撮像部１０１と操作部１０２とは、円形バネ５０４によって適度なフリクションが与えられて回動でき、しかもこの円形バネ５０４には、前記したように所定角度まで回動したとき、ヒンジシャフト５００のフランジ５０５に設けられた係止用凹部５１４乃至５１７に係止する突起５０６、５０７が設けられているから、例えば９０度回動させた位置、−９０度回動させた位置など、撮影に最適な位置で係止することができる。そして、例えば自分撮りのために図３に示したように撮像部１０１を−９０度回動させた場合、フォトリフレクタ５１０は、ヒンジマーカー５０８の図９に示した反射パターン５０９を検出し、その信号を図示しない電子カメラ１００の制御部に送って、操作部１０２の表示装置１０５と撮像部１０１の撮影レンズ窓１０３が同一方向にあると判断する。そしてこの場合、図示していない制御部は、通常の撮影の場合と同様に表示装置１０５に画像を表示すると、表示される画像の上下が逆になるため、画像の上下を逆にして表示できるよう制御する。そのため、撮像部１０１をどのように回動させても、違和感無く撮影をおこなうことができる。
【００３０】
また前記円形バネ５０４は、図１１（Ａ）に示したような状態から撮像部１０１の回動により、ヒンジシャフト５００のフランジ５０５に設けられた凹部５１４乃至５１７から突起５０６、５０７が外れたとき、フランジ５０５の押圧力により、突起５０６、５０７の背後に亀裂が生じることがある。それを防止するため本発明における円形バネ５０４は、図１１（Ｂ）に示したように、突起５０６、５０７の背後に、フォージングプレス、若しくは金属粉末射出成型（ＭＩＭ：Ｍｅｔａｌ  Ｉｎｊｅｃｔｉｏｎ  Ｍｏｌｄｉｎｇ）、ダイキャストなどにより、肉５２０を設け、これを防止するようにした。このようにすることにより、突起５０６、５０７の背後に亀裂が生じてクリックが出ないとか、摩擦が軽くなるといった事故が防止できる。
【００３１】
また、ヒンジシャフト５００は図５乃至１１から明らかなように、中空に作られているから、図１２に示したように、撮像部１０１と操作部１０２を結ぶ信号線をこの中に通すことができ、機械的な接点などを用いることなく結線することができる。
【００３２】
このように本発明によれば、電子カメラにおける撮像部の回動を、ヒンジ機構を構成するヒンジシャフトのフランジに設けた回動角検出用パターンと光電素子という簡単安価な構成で検出できるようにしたことにより、撮影レンズと表示装置が共に自分の方に向けられた場合、それを容易に検出でき、しかも光電素子はある程度離れた場所に設置できるから、従来装置のように機械的な接点や配線の引き回しが不用となって組み込み性が改善でき、また回動動作による信号線の断線等が回避できる。また、ヒンジ部にスイッチを搭載する必要がないため、ヒンジ機構を小型化することが可能となって、電子カメラのコンパクト化が可能となる。
【００３３】
そして、前記ヒンジ機構における前記ヒンジシャフトに設けたフランジに所定角度毎にクリック用凹部を設けると共に、前記円形スプリングにクリック用突起を設け、該突起と前記ヒンジシャフトのフランジに設けた凹部によって前記撮像部を所定角度毎に係止できるよう構成したことにより、操作部に対して撮像部を所定角度毎に係止でき、より撮影のし易い電子カメラを提供することができる。
【００３４】
また、前記円形スプリングは、クリック用突起背後に補強用肉を設けたことにより、円形スプリングのクリック用突起が回動によってフランジに設けたクリック用凹部から外れたとき、撮像部と操作部間の押圧力により、このクリック用突起背後に亀裂が入ったりするのを防止することができる。
【００３５】
さらに、前記ヒンジシャフトは中空とし、該中空部に前記撮像部と操作部を結ぶ信号線を通せるようにすることで、機械的な接点などを用いることなく結線することができる。
【００３６】
【発明の効果】
以上種々述べてきたように本発明によれば、電子カメラに於ける撮像部の回動を、ヒンジ機構を構成するヒンジシャフトのフランジに設けた回動角検出用パターンと光電素子という簡単安価な構成で検出できるようにしたことにより、撮影レンズと表示装置が共に自分の方に向けられた場合、それを容易に検出でき、しかも光電素子はある程度離れた場所に設置できるから、従来装置のように機械的な接点や配線の引き回しが不用となって組み込み性が改善でき、また回動動作による信号線の断線等が回避できる。また、ヒンジ部にスイッチを搭載する必要がないため、ヒンジ機構を小型化することが可能となって、電子カメラのコンパクト化が可能となる。
【図面の簡単な説明】
【図１】本発明になる電子カメラの一実施形態の全体図である。
【図２】本発明になる電子カメラのレンズを被写体方向に向けた撮影状態を示した図である。
【図３】本発明になる電子カメラのレンズをカメラ操作者（自分）方向に向けた撮影状態を示した図である。
【図４】本発明になる電子カメラのレンズを被写体方向に向けた撮影するときのカメラのホールド状態を示した図である。
【図５】本発明になる電子カメラ１００の撮像部１０１と操作部１０２を結合するヒンジ機構のみの構成を示した図である。
【図６】ヒンジ機構を撮像部１０１に組み込み、操作部１０２における上カバー３０７と内部構成部品を取り去って結合部を示した斜視図である。
【図７】図５に示したヒンジ機構を分解した斜視図である。
【図８】ヒンジを構成するヒンジシャフト５００をヒンジレンズプレート５０１に固定するための機構を説明するための図である。
【図９】ヒンジマーカー５０８の正面図である。
【図１０】ヒンジシャフト５００のフランジ５０５に設けたクリック用凹部の図（Ａ）と円形スプリング５０４に設けた突起を示した図（Ｂ）である。
【図１１】ヒンジ機構４０５を撮像部１０１における下カバー４０２と操作部１０２における下カバー３０８に組み込み、一部を断面で示した図である。
【図１２】撮像部１０１と操作部１０２を結ぶ信号線を中空としたヒンジ機構内を通したときの状態を示した図である。
【符号の説明】
４０２  上カバー
５００  ヒンジシャフト
５０１  ヒンジレンズプレート
５０２  ヒンジボディプレート
５０３  ＣＥリング
５０４  円形バネ
５０５  フランジ
５０６、５０７  円形バネの突起
５０８  ヒンジマーカー
５０９  反射パターン
５１０  フォトリフレクター
５１１、５１２  回り止め用突起
５３１  キー溝
５３４、５３５  キー凸
５３７  溝
【図１】
2005020469.tif 000003
【図２】
2005020469.tif 000004
【図３】
2005020469.tif 000005
【図４】
2005020469.tif 000006
【図５】
2005020469.tif 000007
【図６】
2005020469.tif 000008
【図７】
2005020469.tif 000009
【図８】
2005020469.tif 000010
【図９】
2005020469.tif 000011
【図１０】
2005020469.tif 000012
【図１１】
2005020469.tif 000013
【図１２】
2005020469.tif 000014